(57)【要約】液体搬送装置は、粘性のある洗浄剤を便器のボウルに一回分供給するのに特に適している。貯槽（１０）からの液体は、液体レベルがネック（５２）の口部（５４）に到達するまで、ネック（５２）を通してカップ（１８）へ流れる。カップ（１８）内の空間部（１４）は大気に通じている。液体は、カップ（１８）の壁と挿入部材（６０）の間で形成された毛管（６６）によってカップ（１８）から抜かれて繊維層（６）の表面（７２）へ搬送される。水洗水は、液体を便器ボウルへ運ぶために繊維層上で流れている。
2004513266.tif 000002
【特許請求の範囲】
【請求項１】
液体用容器と、搬送面と、前記搬送面上へ液体を解放する手段とを備えた液体搬送装置において、
前記搬送面は繊維材の層を備えている液体搬送装置。
【請求項２】
前記繊維材は編まれている請求項１に記載の液体搬送装置。
【請求項３】
前記繊維材は織られている請求項１に記載の液体搬送装置。
【請求項４】
前記繊維材はポリエステルである請求項１〜３のいずれか１項に記載の液体搬送装置。
【請求項５】
前記繊維材は疎水性である請求項１に記載の液体搬送装置。
【請求項６】
前記液体の粘性は１５００ｃＰよりも大きい請求項１〜５のいずれか１項に記載の液体搬送装置。
【請求項７】
前記液体の粘性は３０００ｃＰよりも大きい請求項６に記載の液体搬送装置。
【請求項８】
前記繊維材はほぼ平坦なプラットフォーム上に支持されている請求項１〜７のいずれか１項に記載の液体搬送装置。
【請求項９】
前記繊維材は自己支持している請求項１〜８のいずれか１項に記載の液体搬送装置。
【請求項１０】
前記解放手段は、前記繊維材のレベルの下のカップと、前記カップ内の液体のレベルから上方へ前記繊維材の上面へ運搬する手段とを有する請求項１に記載の液体搬送装置。
【請求項１１】
前記運搬手段は、前記カップの内壁と前記カップ内に挿入された挿入部材との間で形成されている毛管である請求項１０に記載の液体搬送装置。
【請求項１２】
前記運搬手段は前記カップ内の挿入部材であり、前記挿入部材は、前記挿入部材の壁内に形成された複数の毛管通路を有する請求項１０に記載の液体搬送装置。
【請求項１３】
レシーバへの液体流れと関連して液状製品をレシーバへ搬送する装置において、
使用時に前記液体流れへ露出される繊維層と、
液状製品を容器から受け入れるために前記繊維層の下に配置されておりかつ大気に通じた自由液面を有するカップと、
前記液状製品を前記カップから上方へ前記繊維層の上面へ運搬する手段とを備えている、搬送装置。
【請求項１４】
前記カップから前記繊維材への前記液状製品の上方への運搬は、少なくとも部分的に毛管作用に依存している請求項１２に記載の装置。
【請求項１５】
レシーバへの液体流れと関連して液状製品をレシーバへ搬送する装置において、
容器と、
使用時に前記液体流れへ露出される繊維材面とを備え、
前記容器は下部において開口を有し、前記開口は上方に面する口部を有しかつ大気に通じており、
前記繊維へ通じる一つ以上の毛管通路を備えた、前記開口から前記繊維へ前記液状製品を運搬する手段とを備えた、搬送装置。
【請求項１６】
前記繊維材は、液体が散布されるほぼ平坦な面領域を備えている請求項１５に記載の装置。
【請求項１７】
レシーバへの液体流れと関連して液状製品をレシーバへ搬送する装置において、
使用時に前記液体流れへ露出される基板と、
容器から液状製品を受け入れるために前記基板の下に配置されかつ大気に通じた自由液面を有するカップと、
前記液状製品を前記カップから上方へ前記基板へ運搬する手段とを備え、
前記基板は繊維材である、搬送装置。
【請求項１８】
液体用容器を備え、前記容器は、使用時に位置する時に下端部において出口と、上方に延びている出口の口部とを有し、前記出口は、前記容器の下端部において容器の貯槽を形成しており、液体は前記容器内で大気圧で保持されており、前記出口から前記液体を散布する散布手段が設けられており、前記散布手段は、搬送面を形成している繊維材層と、前記液体を前記繊維材へ搬送する手段とを備えている、液体搬送装置。
【請求項１９】
便器に運ばれる前に液体がその上で散布される繊維面を有する、便器用液体リム製品。
【請求項２０】
口部を有する、供給すべき液体を保持するボトルと、
上面を有する供給板を有する、前記ボトルを保持する基部と、
使用時に液体が前記ボトルの口部及び導管を介して前記ボトルから前記供給板の上面へ移動する、前記ボトルの口部から前記供給板への導管とを備え、
繊維材の層が前記供給板の上面上に設けられている、便器ボウルのリムから懸架する液体供給装置。
【請求項２１】
前記導管は一つ以上の毛管通路を有する請求項２０に記載の液体供給装置。
【請求項２２】
前記毛管通路は、液体を前記繊維材の上面へ移動させる請求項２１に記載の液体供給装置。
【発明の詳細な説明】
【０００１】
〈発明の属する技術分野〉
本発明は液状製品を搬送するための装置に関する。本発明は、液状製品を長期間、制御して解放することが要求される分野に関する。この液状製品は、空気清浄剤又は殺虫剤などにおいて、特に散布液体の断続的な流れを有するなどの便器システムにおける他の散布液体の流れに、蒸発によって供給又は散布される。本発明は、特に、溶液、散布又は懸濁の形態である、特に香料、界面活性剤、漂白剤又は殺菌剤などの液状製品の搬送に関し、また、便器ボウルを流すために使用されている水の作用の下で液状製品を便器ボウルへ搬送させることに関する。
【０００２】
〈従来の技術〉
長い間、固体状又は半固体状製品の形態のいわゆるトイレオートマティックス、水洗水が製品を通して洗い、製品を溶解又は腐食させて活性成分を水流へ解放する、水洗便器ボウルの内側リム内に取り付けられる「リムブロック」を提供することが公知であった。和式では、ブロックは水槽の上部にも配置されており、蛇口からの水がブロックを通って水槽内へ流れ、ブロックは水槽内において水面の下にも配置されることができ、ブロックがゆっくりと成分を水へ解放する。
【０００３】
より最近、同様に液状の便器洗浄製品、いわゆる液状リム製品を使用することが提案されてきた。例えば、欧州特許第５３８９５７号には、液状の便器洗浄製品を水洗水へ一回分供給するために、水洗便器ボウルの内側リム上に取り付けられうる装置が記載されている。この装置において、液状製品は、水洗水の経路内に配置された多孔性基板や搬送板からの水流へ投与される。多孔性基板は、基板の上方に配置された容器から液状製品が供給され、貯水容器の底部における口部は、基板の上面に通じている。この装置は構造が簡単であるが、水洗と水洗の間において、基板へ流れる液状製品の体積は、一般に３〜４週間と見込まれている製品寿命を通して一貫していないという欠点がある。これは、容器から基板の表面への流量に直接的に影響するので、一回分供給は、容器内の液体の水頭に少なくとも部分的に依存するようである。容器は開口の上方にシールされており、液体が基板上を流れるので、液体の上方における圧力は減少する。その結果、時間が経つにつれて、便器ボウル内への液状製品の投与が一貫しない。
【０００４】
欧州特許第７８５３１５号には前述の装置の展開が記載されている。ここでは、多孔性基板からの水流へ液状製品を搬送させる同じ基本概念が採用されている。しかしながら、容器からの液状製品が調整通路を介して基板の上面に堆積させられる。液体は、オリフィスを通して通路内へ調整され、容器の内部に通じる別個の空気開口が設けられている。計量オリフィス及び空気開口の寸法は、一回分供給する液体の粘性に厳しく調整される。これは、容器内の液体の高さが必ず時間が経つにつれて下がるが、容器内の液体のレベルと独立して、基板の上方において液体のほぼ一定の「水頭」を与える作用を有するものとして記載されている。この装置によって吸収性のある基板へ液状製品の流量をより一貫させるが、水洗と水洗の間の期間に少なくとも部分的に依存して、水洗水への搬送が一貫しない可能性が依然としてある。これは、基板への流れを止める、液状製品の凝固にこの装置が依存しているため、すなわち、装置の作動する環境に非常に依存する機構のためであると考えられる。基板上へ下方へ運ぶ液体の水頭は、基板の「過飽和」をもたらし、基板上に製品が載せられ過ぎる可能性があるということも考えられる。
【０００５】
国際公開第９９／６６１３９号及び国際公開第９９／６６１４０号には、欧州特許第５３８９５７号の多孔性板の代りの異なる型の搬送板を有する、多数の様々な液体リム製品が記載されている。その一方で、国際公開第００／４２２６１号には、溝付き板を用いた別の製品が記載されている。
【０００６】
これらのシステムの全ては、直接的に容器の口部から搬送板へ液体を搬送する概念を採用している。
【０００７】
多孔性板システムは、特に、液体の粘性がより高いと、効率がより悪く機能するということが認識されうる。また、液体の流量は、粘性が増大するにつれて低下する傾向があるということが認識されうる。したがって、粘性のある流体は、便器の水洗と水洗の間において、多孔性板の空隙を満たすのには遅く、水洗動作中において多孔性板からすすぎ落とすのは難しいようである。溝付き板は、板上の液体がより露出されているという利点があるが、溝部は、一回分供給の動作のために十分な液体を収容するほど比較的に深くなければならず、溝部内で液体を保持してしまうという危険がある。また、容器の口部近傍の溝部の数は必然的に制限されてしまい、溝部への流量は制限される。
【０００８】
本発明の一つの目的は、特に粘性のある製品などの液状製品を一回分供給するための改良したシステムを提供することである。
【０００９】
本発明の一態様は、液体用容器と、搬送面と、搬送面上へ液体を解放する手段とを備えた液体搬送装置において、搬送面は繊維材の層を備えている液体搬送装置を提供する。
【００１０】
繊維面では、従来技術の多孔性基板又は溝付き板と比べて、粘性のある液体が供給領域にわたってより速くかつより良好に広がるということが理解されてきた。理論によって束縛されることを望まないならば、繊維面の比較的に微細な面構造が一因となっているということが考えられている。
【００１１】
より容易に散布される粘性の低い液体と比べて、粘性のある液体のより良好な広がりは、水洗水内における分解及び散布に対する比較的に大きな抵抗に対処している。
【００１２】
非常に好ましくは、粘性のある液体は織物内に吸収されない又は実質的に吸収されず、この織物は、便器ボウル内の水を流すことによってより容易に洗い流され、又は、大気へより容易に蒸発して改良した香りを提供する。
【００１３】
繊維材料は、繊維、ヤーン又はフィラメントで作られた材料又は織物である（ここでは一般に繊維と呼ぶ）。材料は、接着、溶解又は連結されている不織布としてもよいが、織り交ぜ、絡み合わせ又は相互に輪で結ぶ（ここでは一般に織り又は編みと呼ばれる）ことによって作られる材料が好ましい。
【００１４】
この材料は、隣接した繊維の間において空隙があるとしても少ない、実質的に連続した面を提供するように、好ましくは、平面で見た時に非常に密度の濃い構造である。織物は、織り又は編み処理によってきめのある又は３次元表面を有する。
【００１５】
好ましくは、表面は密集している。すなわち、いくつかの繊維又は繊維状要素が表面から突出しており、表面の繊維は、低いプロファイル又は高さを有する。
【００１６】
特に好ましい繊維材料は、ネットカーテン材料で綿密に編まれたパターンで例えば使用されている、ポリエステルで編まれた繊維である。特定の例は、編まれたポリエステル繊維である。
【００１７】
例えば、欧州特許第５３８９５７号、国際公開第９９／６６１３９号及び国際公開第９９／６６１４０号に見られるタイプの装置を用いて、容器からの液体を上から繊維の上面へ直接的に搬送することができる。しかしながら、繊維の下に位置するカップから液体を搬送することが特に好ましい。毛管システムは、液体を織物構造へ搬送する。毛管は、例えば空気清浄剤で使用される時、一連の溝部又は通路、多孔性部材、又は芯状のセルロースやポリエステルなどとしうる。液体を搬送板の上面へ搬送する装置が、本願と同時に出願された我々の国際特許出願において記載されており、参照することによってこの出願の内容が本明細書に組み込まれている。このようなシステムは、本発明の繊維面を用いて使用するのに適している。
【００１８】
本発明は、添付図面を参照して例としてより詳細に記載される。
【００１９】
〈発明の実施の形態〉
図１の装置２は、水洗便器が流される時に発生する水流Ｆと関連して、水洗便器のボウル４内へ洗浄製品及び／又は脱臭製品などの液状製品１３を搬送するのに適している。この装置２は、水洗水Ｆの経路内において搬送板９を形成するように、ほぼ水平なプラットフォーム８上に支持されている繊維材料層６を備えている。繊維材層６は搬送面７２を備えている。搬送板９の上方において装置２に取り付けられている容器１０は、搬送板９の下に配置されたカップ１８へ重力の作用で送られる液状製品１３のための貯槽として機能する。液状製品１３は、繊維層６に一回分供給するようにカップ１８から上方へ運搬される。図面に示されていないが、装置２は、水洗便器のボウルのリム２０から懸架されうるストラップ（従来の「リムブロック」）をさらに有する。このストラップは、基板６をいくらか保護するように、檻状構造によって包囲されうる。使用されてきた特別な繊維は、Ｋａｒｌ Ｍｅｙｅｒ Ｒａｓｃｈｅｌ ジャカード紋織機 ＝ ＲＭＪＧ ５ ＦＮＥ 機械によって、縦糸（ピラー）１５０／３６セミダルポリエステル（フラット）フロントバー（トップクリール）１／１６７で織られたポリエステルで編まれている。
【００２０】
装置２をより詳細に見ると、装置２は、円形カップ１８を有する、ポリプロピレンからなる基部１６と、カップ１８の口部を包囲しかつこの口部から外方向に延びている、平坦な矩形プラットフォーム８とを有する。カップ１８はプラットフォーム８内でその横方向寸法の中央に配置されているが、図１に見られるように、比較的に大きな体積の水洗水が繊維層６を流れるように、プラットフォーム８の後部の相当部分を水洗便器ボウル４のリム２０の下において突出させることができ、カップ１８はプラットフォーム８の正面に向けて偏倚している。
【００２１】
多数の異なる繊維材料のいずれでも使用することができる。液体１３がカップ１８の領域から離れて散布されるための表面を提供し、その一方で、繊維は、好ましくは、液体１３が一回分供給される、大きすぎる体積の流動液体を保持しないように、適用される用途に基づいて特定の形態の材料が選択される。疎水性を有する材料が好ましい。
【００２２】
容器１０は強固又は半強固であり、容器１０は、空の時に潰れず、一般にポリエチレンで吹込成形されている。容器１０は、容易に補充することができる又はより一般的に交換されるように、ユニット１６から分離可能である。すなわち、容器の「補充」は、導入部で言及した「リムブロック」について用いられるリムブロックの交換とほぼ同じで用いることができる。楕円形状の容器１０は、主に重要でないが、水洗便器のボウル４を横断してずっと遠くへ突出しないような細い構成が好ましい。必要に応じて、容器１０の壁を透明とすることができ、残っている液状製品１３の量を確認することができる。液状製品１３のレベルを確定するのをより容易にするために、液状製品１３を着色することができる。
【００２３】
図２に示すように、容器１０は、下方に延びているネック３２を有する底壁において開口３０を有する。容器の開口３０は、最初、ネック３２を横断して留められているシール３４によって閉鎖されている。容器１０を搬送装置２に取り付けるために、容器１０のネック３２がプロング３８の上端部３６上に押し下げられ、プロング３８はシール３４を破断して取付物４０から離す。
【００２４】
装置２は、様々な液状製品を液体流れへ搬送するために使用することができる。一般に、水洗便器のボウルを洗浄及び脱臭する、記載した例の用途では、液状製品１３は界面活性剤と香料成分の両方を含む。装置２は、空気清浄剤又は殺虫剤を搬送するのにも適している。製品が繊維層にわたって迅速に広がることができ、水洗水によって便器ボウルへ流される十分な量の液体を提供することを保証するように、材料の流体力学的挙動、特に粘性を繊維材料の物理特性に関して選択することができ、その逆も同じである。本発明は、スピンドル２、速度６、２０°ＣでブルックフィールドＬＶ型粘度計で測定された、好ましくは約１５００ｃＰ（センチポアズ）よりも大きな、より好ましくは約２５００ｃＰよりも大きな、より好ましくは約３０００ｃＰよりも大きな、粘性が比較的に高い液体に特に適している。
【００２５】
水洗便器が流される時、水は、流れ下り、プラットフォーム８上に支持されている繊維材層６にわたって流れる。一回分供給される液状製品は、この水流によって繊維材層６から流され、水洗便器のボウル４へ搬送される。一旦、流れる水流が止まると、過剰の水が流出し、繊維材層６の表面は、以下により詳細に説明するように、液状製品１３が自動的に「補充」される。
【００２６】
少量の水が基板の表面上に保持される傾向がある。この水が蒸発すると、液状製品からなる香料成分を解放し、水洗と水洗の間において脱臭作用が提供されるということがわかる。
【００２７】
図２を参照すると、カップ１８はプラットフォーム８と一体に形成されている。プロング３８は、容器１０のクロージャ４４のシール３４を移動させるために、カップ１８の底壁４２から上方に延びている。クロージャ４４は内壁４６及び外壁４８を有している。内壁４６と外壁４８は、ウェブ５０によって接合されており、きつい液体シールで容器１０のネック３２を囲んでいる。クロージャ４４は、口部５４を形成するように容器１０から離れて延びている接続部５２を有する。シール３４は、プロング３８によって移動させられる前にはウェブ５０の内側リム上で唇部４０において保持されている。
【００２８】
カップ１８の内側体積部１４から液体１３を運搬する毛管システムを形成するために、溝付き挿入部材６０が設けられている。
【００２９】
図３は、上端部において放射状に延びている襟部６４を有する円形断面のシリンダ壁６２を備えた挿入部材６０の側面図である。シリンダ６２はカップ１８内に滑り嵌めされる。
【００３０】
滑らかな壁のある毛管溝部６６がシリンダ６０の外面内に全周において形成されている（三つの溝部のみが図３及び４に示されている）。各毛管６６の下端部において、切欠き部６８がシリンダ壁６２を完全に通して延びている。
【００３１】
図４は挿入部材６０の直径方向の断面図である。毛管６６は上方へ襟部６４内へ下面７０を横断して延びているということを理解することができる。したがって、図２を参照すると、毛管は、体積部１４から、上方へ挿入部材６０とカップ１８の壁の間を通って、繊維層６の上面７２への液体用通路を形成している。
【００３２】
毛管は、織物のレベルまで液体を搬送させるように、カップの壁内において又はカップの壁と挿入部材の壁の協働によって形成することができ、液体が上方又は横へ織物内へ浸透しうる。しかしながら、液体を繊維層６の上面へ搬送するための毛管システムを提供することが特に好ましい。
【００３３】
襟部６４の上面は、空気間隙部をクロージャ４４周りで提供するために７４においてへこんでいる。容器１０を所定位置に支持するために支持部材又はガイドが設けられており、これは、当業界で公知の、包囲する檻状構造の形態としうるということが認識されるであろう。図５は、カップ１８及び挿入部材６０から延びている、繊維層６の上面７２を示している。
【００３４】
前述のように、容器１０は、シール３４を移動させるように、プロング３８を覆って挿入される。液体１３は、体積部１４内へ、さらに、切欠き部６８を通して上方へ毛管６６内へ流れる。容器１０内で形成されている部分的な真空によって液体が釣り合わされている時、大気に通じている体積部１４内の液体は、口部５４の直上方のレベルＬに到達する。液体は、静水圧下で毛管６６内でレベルＬへ上昇し、液体が襟部７４から広がる表面７２へ液体が移動するまで、毛管６６内の液体は毛管作用によりさらに上昇する。
【００３５】
繊維層６上への液体１３の流れは、容器１０内に残っている液体量と実質的に独立しており、カップ１８内の液体レベルＬと、毛管６６によって生成される毛管作用とによって決定されるということを理解することができる。レベルＬが口部５４の下に落下する時、より多くの液体が体積部１４内に落下しうるように、空気が容器１０に入りうる。
【００３６】
毛管６６の断面を液体１３の粘性に適するように修正することができる。粘性が比較的に大きな液体では所定の毛管を通る液体の流量が比較的に小さいので、粘性が比較的に大きな液体は、一般に毛管寸法より大きい必要がある。さらに、毛管の数を調節することができる。繊維層の表面７２へ搬送される一回分供給を約３０秒から１０分以内で、補充するのに十分な液体流れを保証することが望ましい。
【００３７】
毛管内の液体の垂直方向の流れに対する液体の粘性の作用を示すために実験を行った。
【００３８】
二つのガラス板は、量「ｄ」だけ離間しており、粘性に調節されて、表１に示す一般的な処方で浸されている。１０分後の液体が到達した高さが記載され、その結果が表２に示されている。
【００３９】
【表１】
2004513266.tif 000003
【表２】
2004513266.tif 000004
【００４０】
挿入部材６０の襟部６４は、繊維層６の表面７２のわずか上方に離間している。このように間隔を設けることにより、液体が繊維層６の表面上に流出することを許容するはずである。襟部６４が材料表面上できつく位置しないことを保証するように、スペーサ（図示せず）を設けることができる。表面７２の繊維が高いプロファイルを有し、襟部６４が表面７２に当接する可能性がある場合には、表面７２を押し潰して実質的にシールを形成しないように注意しなければならない。
【００４１】
繊維層６を所定位置に接着又は溶接することができる、又は、プラットフォーム８から上方に延びているプロングを覆って又は包囲する檻状構造から外へ延びている歯の下に繊維層６を配置することによって繊維層６を機械的に固定することができる。繊維層６は、さらに、例えば適度に固い繊維で作ることによって、又は熱成形によって、又は接着剤で固くするなどによって繊維層６は自己支持している。
【００４２】
繊維層６は、カップ１８から液体を抜く毛管機能又はウィッキング機能を提供するように、カップ１８内に延びていてもよい。この場合には、粘性の比較的に低い液体が好まれるということが予期されるが、十分な液体を主繊維領域７２へ「運ぶ」ために液体が繊維層内に吸引されうる。液体が繊維層内に吸引される場合に、水洗水が繊維層を通して浸透しうるように網状プラットフォーム上で繊維層を支持することが好ましい。
【００４３】
図６は本発明の第二実施例の断面図である。図６は、欧州特許第５３８９５７号、国際公開第９９／６６１３９号又は国際公開第００／４２２６１号などの従来技術において一般に見られるタイプの液体リム装置１００を示している。しかし、これらの文献においては、液体搬送面は繊維材料で形成されている。
【００４４】
外側檻１０２は、基部１０４内の穴１０８を包囲する筒状襟部１０６を有する基部１０４を有する。
【００４５】
外側檻１０２上の柔軟なストラップ１１０は、便器ボウルのリム２０から装置１０を吊るすために使用されている（図１参照）。
【００４６】
平坦なプラットフォーム１１２が、例えば、基部１０４内の穴を通して延びている棘（図示せず）によって基部１０４に留められている。
【００４７】
プロング１１４は、プラットフォーム１１２から上方へ穴１０８を通して延びている。
【００４８】
繊維材料からなる層１１６は、プラットフォーム１１２と基部１０４とに挟まれている。
【００４９】
容器１１８は、装置１００によって供給されるべき粘性のある液体１２０を収容している。図１〜５の実施例のクロージャ４４と同様なクロージャ１２２は、容器１１８のネック１２４周りできつい液体シールを形成しており、襟部１０６内に滑り嵌めする。容器１１８はプロング１１４を覆って逆にされ、檻１０２内に押され、プロング１１４はクロージャ１２２からシール１２６を移動させる。液体１２０は、下方へ開口１０８の領域内において繊維層１１６の上面１２８へ浸透し、開口１０８から上面１２８を横断して外方向に広がる又は散布される。
【００５０】
繊維層１１６は基部１０４とプラットフォーム１１２の間で緩く単に把持されており、繊維層１１６の上面１２８にわたって外方向に液体が浸透しうる。液体が繊維層本体を通して浸透しうるように、より多孔性の繊維を使用することができる。
【００５１】
液体１２０の粘性が十分である場合、容器１１８から出る流れは遅く、容器１１８内の液体の上方の空間部Ｐ内において圧力が減少する。
【００５２】
繊維材料１１６は、プラットフォーム１１２に緩く当接する、又は、接着されうる、又は、プラットフォームの縁部における棘又はクリップ１３０などによって所定位置に機械的に保持されうる。
【００５３】
種々の修正が当業者に明らかであり、添付した特許請求の範囲内に属する全ての修正を含むことが望ましい。
【図面の簡単な説明】
【図１】
液体容器を有している、本発明の実施例を形成している装置の略側面図であり、便器ボウルのリムに関する取り付け位置を示している。
【図２】
図１の線ＩＩ−ＩＩ断面図である。
【図３】
図１の装置のカップ内に配置されている挿入部材の側面図である。
【図４】
図３の挿入部材の直径方向断面図である。
【図５】
図２の線Ｖ−Ｖ断面図である。
【図６】
本発明の第二実施例の断面図である。
【国際公開パンフレット】
2004513266.tif 000005
2004513266.tif 000006
2004513266.tif 000007
2004513266.tif 000008
2004513266.tif 000009
2004513266.tif 000010
2004513266.tif 000011
2004513266.tif 000012
2004513266.tif 000013
2004513266.tif 000014
2004513266.tif 000015
2004513266.tif 000016
2004513266.tif 000017
2004513266.tif 000018
2004513266.tif 000019
2004513266.tif 000020
2004513266.tif 000021
2004513266.tif 000022
2004513266.tif 000023
2004513266.tif 000024
2004513266.tif 000025
2004513266.tif 000026
2004513266.tif 000027
【国際調査報告】
2004513266.tif 000028
2004513266.tif 000029
2004513266.tif 000030